(57)【要約】【課題】  高解像度化処理などの映像処理技術によってノイズ発生や画質悪化といった逆効果となる画像がある。【解決手段】  ＲＯＭ９が記憶する、所定範囲内に制限したＯＳＤ画像で使用される中間輝度や中間色差のパラメータデータを使用して、ＯＳＤ生成部８ａにより生成されたＯＳＤ画像や、高解像度化制御部８ｂが分析した、ＯＳＤ画像とともにメイン処理部８から出力される映像信号で使用されている輝度や色差などの色情報に対して、コントラスト比が小さくなるように生成されたＯＳＤ画像に対して、高解像度化処理部２１による高解像度化処理や、動画改善処理部２２による動画改善処理を施す。【選択図】      図１
2010130643.tif 000002
【特許請求の範囲】
【請求項１】
所定のアルゴリズムに基づいてコンテンツ映像の解像度を上げる処理を施す映像処理手段と、
第１の色情報を有する背景と第２の色情報を有する文字列とを含むＯＳＤ画像を生成するＯＳＤ生成手段と、
を具備し、
前記映像処理手段による処理が施されている場合、前記ＯＳＤ生成手段は前記背景と文字列のコントラスト比が約９５％以内の色情報を用いて前記ＯＳＤ画像を生成することを特徴とする画像処理装置。
【請求項２】
前記第１の色情報と前記第２の色情報のパラメータを記憶するメモリを具備し、
前記ＯＳＤ生成手段は、前記メモリに記憶されたパラメータを用いて前記ＯＳＤ画像を生成することを特徴とする請求項１記載の画像処理装置。
【請求項３】
前記メモリは、中間輝度と中間色差のパラメータを記憶することを特徴とする請求項２記載の画像処理装置。
【請求項４】
前記映像処理手段は、第１解像度の映像信号から本来の画素値を推定して画素を増やすことにより、前記第１解像度よりも高い第２解像度の映像信号を復元することを特徴とする請求項１記載の画像処理装置。
【請求項５】
所定のアルゴリズムに基づいてコンテンツ映像の解像度を上げる処理を施す映像処理手段と、
第１の色情報を有する背景と第２の色情報を有する文字列とを含むＯＳＤ画像を生成するＯＳＤ生成手段と、
前記コンテンツ映像の色情報を分析する分析手段と、
を具備し、
前記ＯＳＤ生成手段が、前記分析された色情報に基づいて背景および文字列の色情報を決定し、決定した色情報を有する当該背景および文字列とを含む前記ＯＳＤ画像を生成した状態で、
前記映像処理手段が、前記コンテンツ映像と前記ＯＳＤ画像の解像度を上げる処理を施すことを特徴とする画像処理装置。
【請求項６】
少なくとも映像の輪郭の強調処理を行う映像処理手段と、
前記強調処理に関する動作のオンまたはオフをユーザに選択することを許可する選択手段と、
第１の色情報を有する背景と第２の色情報を有する文字列とを含むＯＳＤ画像を生成するＯＳＤ生成手段と、
前記選択手段によって前記強調処理がオンされている場合と、前記選択手段によって前記強調処理がオフされている場合とで、前記第１の色情報または前記第２の色情報の少なくもいずれか一方の色情報を変える制御をするか、または、前記文字列の形状を変える制御をする制御手段と、
を具備することを特徴とする画像処理装置。
【請求項７】
前記制御手段は、前記選択手段によって前記強調処理がオンされている場合は、前記選択手段によって前記強調処理がオフされている場合に比べて、前記背景と文字列のコントラスト比が小さくなるように制御することを特徴とする請求項６記載の画像処理装置。
【請求項８】
所定のアルゴリズムに基づいてコンテンツ映像の解像度を上げる処理を施し、
第１の色情報を有する背景と第２の色情報を有する文字列とを含むＯＳＤ画像を生成し、
解像度を上げる処理が施されている場合、前記背景と文字列のコントラスト比が約９５％以内の色情報を用いて生成することを特徴とする画像処理方法。
【請求項９】
所定のアルゴリズムに基づいてコンテンツ映像の解像度を上げる処理を施し、
第１の色情報を有する背景と第２の色情報を有する文字列とを含むＯＳＤ画像を生成し、
前記コンテンツ映像の色情報を分析し、
前記分析された色情報に基づいて背景および文字列の色情報を決定し、決定した色情報を有する当該背景および文字列とを含む前記ＯＳＤ画像を生成した状態で、前記コンテンツ映像と前記ＯＳＤ画像の解像度を上げる処理を施すことを特徴とする画像処理方法。
【請求項１０】
少なくとも映像の輪郭の強調処理を行い、
前記強調処理に関する動作のオンまたはオフをユーザに選択することを許可し、
第１の色情報を有する背景と第２の色情報を有する文字列とを含むＯＳＤ画像を生成し、
前記強調処理がオンされている場合と、オフされている場合とで、前記第１の色情報または前記第２の色情報の少なくもいずれか一方の色情報を変えるか、または、前記文字列の形状を変えることを特徴とする画像処理方法。
【発明の詳細な説明】
【技術分野】
【０００１】
本発明は、画像処理装置および画像処理方法に関する。
【背景技術】
【０００２】
近年、画面サイズの大型化に伴い、表示画素数が多い、すなわち高解像度のディスプレイを備えたテレビジョン受像機やモニタが広く普及している。そして、そのようなディスプレイでは、ＤＶＤや、アナログ映像などのＳＤ（Standard  Definition；以下ＳＤと称する）解像度の動画映像を、その解像度のまま表示させるだけでなく、ハイビジョン放送などのＨＤ（High  Definition；以下ＨＤと称する）解像度の映像をクリアに表示させることができる。さらには、映像の高解像度化技術として、超解像技術と呼ばれる、解像度の低い動画映像に対して、画素補間することにより高解像度の映像に変換する技術を用いて、ＳＤ解像度の映像をＨＤ解像度に変換して、大型画面でもクリアに映像表示させることも可能である。
【０００３】
例えば、特許文献１によれば、低解像度から高解像度への画素補完の際に、補間する画素を周囲の画素に基づいて決定していく解像度変換の手法が公開されている。
【特許文献１】特開２００７−３１０８３７号公報（図１Ａ）
【発明の開示】
【発明が解決しようとする課題】
【０００４】
しかしながら、このような高解像度化技術などの映像画質を改善する処理技術を実際のデジタルテレビに実装した場合、映像の種類によっては、ノイズ発生や画質悪化といった逆効果となるものがあることがわかった。
【０００５】
そこで、本発明は上述した課題を解決するために、高解像度化処理などの映像処理技術を施した場合の、ノイズ発生や画質悪化といった逆効果になりづらいＯＳＤ画像を生成する画像処理装置および画像処理方法を提供する。
【課題を解決するための手段】
【０００６】
本発明は上述した課題を解決するため、所定のアルゴリズムに基づいてコンテンツ映像の解像度を上げる処理を施す映像処理手段と、第１の色情報を有する背景と第２の色情報を有する文字列とを含むＯＳＤ画像を生成するＯＳＤ生成手段と、を具備し、前記映像処理手段による処理が施されている場合、前記ＯＳＤ生成手段は前記背景と文字列のコントラスト比が約９５％以内の色情報を用いて生成することを特徴とするものである。
【０００７】
また本発明は上述した課題を解決するため、所定のアルゴリズムに基づいてコンテンツ映像の解像度を上げる処理を施す映像処理手段と、第１の色情報を有する背景と第２の色情報を有する文字列とを含むＯＳＤ画像を生成するＯＳＤ生成手段と、前記コンテンツ映像の色情報を分析する分析手段と、を具備し、前記ＯＳＤ生成手段が、さらに、前記分析された色情報に基づいて決定した色情報を使った前記ＯＳＤ画像を生成した状態で、前記映像処理手段が、前記コンテンツ映像と前記ＯＳＤ画像の解像度を上げる処理を施すことを特徴とするものである。
【０００８】
また本発明は上述した課題を解決するため、少なくとも映像の輪郭の強調処理を行う映像処理手段と、前記強調処理に関する動作のオンまたはオフをユーザに選択することを許可する選択手段と、第１の色情報を有する背景と第２の色情報を有する文字列とを含むＯＳＤ画像を生成するＯＳＤ生成手段と、前記選択手段によって前記強調処理がオンされている場合と、前記選択手段によって前記強調処理がオフされている場合とで、前記第１の色情報または前記第２の色情報の少なくもいずれか一方の色情報を変える制御手段と、を具備することを特徴とするものである。
【０００９】
また本発明は上述した課題を解決するため、所定のアルゴリズムに基づいてコンテンツ映像の解像度を上げる処理を施し、第１の色情報を有する背景と第２の色情報を有する文字列とを含むＯＳＤ画像を生成し、解像度を上げる処理が施されている場合、前記背景と文字列のコントラスト比が約９５％以内の色情報を用いて生成することを特徴とするものである。
【００１０】
また本発明は上述した課題を解決するため、所定のアルゴリズムに基づいてコンテンツ映像の解像度を上げる処理を施し、第１の色情報を有する背景と第２の色情報を有する文字列とを含むＯＳＤ画像を生成し、前記コンテンツ映像の色情報を分析し、さらに、前記分析された色情報に基づいて決定した色情報を使った前記ＯＳＤ画像を生成した状態で、前記コンテンツ映像と前記ＯＳＤ画像の解像度を上げる処理を施すことを特徴とするものである。
【００１１】
また本発明は上述した課題を解決するため、少なくとも映像の輪郭の強調処理を行い、前記強調処理に関する動作のオンまたはオフをユーザに選択することを許可し、第１の色情報を有する背景と第２の色情報を有する文字列とを含むＯＳＤ画像を生成し、前記強調処理がオンされている場合と、オフされている場合とで、前記第１の色情報または前記第２の色情報の少なくもいずれか一方の色情報を変えることを特徴とするものである。
【発明の効果】
【００１２】
本発明によれば、高解像度化処理などの映像処理技術の適用状況に応じてＯＳＤ画像の色情報を制御するので、ノイズ発生や画質悪化といった逆効果になりづらいＯＳＤ画像を生成することができる。
【発明を実施するための最良の形態】
【００１３】
以下、本発明における実施形態について図面を用いて説明する。
（第１の実施形態）
図１は、本第１の実施形態に係る画像処理装置の構成を示すブロック図である。なお、本第１の実施形態では、本発明の画像処理装置をデジタルテレビに適用した例を示す。
【００１４】
デジタルテレビ１は、デジタルチューナ２、デジタル信号復調部３、アナログチューナ４、外部入力信号処理部５、ＩＰＴＶ信号処理部６、インターネット信号処理部７、信号処理部８、ＯＳＤ生成部８ａ、高解像度化制御部８ｂ、ＲＯＭ９、高解像度化処理部２１、動画改善処理部２２、表示処理部２３、ディスプレイ２４、音声処理部２５、スピーカ２６を備えて構成されている。
【００１５】
デジタルアンテナＡＴｄによって受信された、ＢＳ、ＣＳ、地上波等のデジタル放送波には、映像や音声の他にデータ放送や電子番組表（ＥＰＧ）用などのデータが含まれている。デジタルチューナ２は、ユーザが指示した特定の視聴用チャンネルを選局する。デジタル信号復調部３は、選局されたチャンネルのデジタル放送波からデジタル信号を復調する。
【００１６】
アナログアンテナＡＴａは、アナログ放送を受信する。アナログチューナ４は、ユーザが指示した視聴用のチャンネルを選局する。外部入力信号処理部５は、選局されたアナログ放送信号の処理、および、ゲーム機や、ＰＣ（パーソナルコンピューター）、ＤＶＤプレーヤなどの外部装置ＧＳから受信した外部入力信号の処理を行う。
【００１７】
ＩＰＴＶ信号処理部６は、受信したＩＰＴＶ（インターネットプロコトルＴＶ）放送信号の処理を行う。インターネット信号処理部７は、受信したインターネット信号の処理を行う。
【００１８】
メイン処理部８は、受信した映像信号に対してＩＰ（インタレース−プログレッシブ）変換、ＮＲ（ノイズリダクション）処理、および、スケーリングなどの処理や、映像信号と音声信号の分離処理、デジタル信号からのデータ抽出などの処理などを施すとともに、ＯＳＤ画像を生成するＯＳＤ生成部８ａや後段の高解像度化処理部２１を制御する高解像度化制御部８ｂを備えて構成されている。
【００１９】
ＯＳＤ生成部８ａは、ＯＳＤ画像としての、抽出されたデータ放送や電子番組表（ＥＰＧ）データを表示する画像や、装置の操作をさせるためのユーザインターフェース画像を生成する。本第１の実施形態においては、高解像度化処理を施しても画質悪化のないＯＳＤ画像も生成する。高解像度化制御部８ｂは、メイン処理部８から出力された映像信号の輝度や色差などの色情報の分析を行い、また後段の高解像度化処理部２１を制御して高解像度化処理を行う。
【００２０】
ＲＯＭ９は、ＯＳＤ生成部８ａが生成するＯＳＤ画像に使用する文字または図形などからなる文字列やそれらの色情報、背景の色情報などのパラメータデータを記憶する。すなわち、ＯＳＤ生成部８ａは、ＲＯＭ９に記憶されたパラメータデータを読み出してＯＳＤ画像を生成する。
【００２１】
高解像度化処理部２１は、入力された映像信号（画像データ）の解像度を増やす処理を行う。例えば、受信した映像信号がＳＤ解像度の画像である場合にＨＤ解像度の画像になるように画素を復元する。そして、解像度を増やすことで映像信号を鮮鋭化する。
【００２２】
動画改善処理部２２は、入力された映像信号に対して動画改善処理を施す。動画改善処理とは、高精度動き補間技術により、通常毎秒６０コマで構成される映像を毎秒１２０コマで再現するように映像信号を処理することをいう。このように映像信号を処理することにより、横、縦、斜め方向や回転する被写体など動きのある部分の映像を低減し、ノイズも効果的に抑えて、流れるテロップや動きの速いスポーツシーンをくっきりと、後段のディスプレイ２４へ表示することができる。
【００２３】
表示処理部２３は、調整後の映像信号に対して、さらに明るさや色合いの調整などを施す。ディスプレイ２４は、映像信号を画面に表示する。そして、視聴者はディスプレイ２４の画面を見ることにより、テレビ映像を見る。音声処理部２５は、音声信号を音響処理するとともに増幅する。スピーカ２６は、音声信号を音声として出力する。そして、視聴者はスピーカ２６からの音声を聴くことにより、テレビ音声を聴く。
【００２４】
なお、本第１の実施形態は、メイン処理部８から出力される映像信号に、ＯＳＤ生成部８ａにて生成されたＯＳＤ画像が重畳される構成である。すなわち、高解像度化処理や動作改善処理は、コンテンツの映像信号にＯＳＤ画像が重畳された映像に対して処理が施される実施形態である。
【００２５】
そして、高解像度化処理の効果の一つである、映像信号像の輪郭（エッジ）を強調する場合には、隣り合った色のコントラスト比に応じて、さらにそのコントラストを強調するように高解像度化処理が施される。すなわち、隣り合った色の比が大きい映像のエッジに対しては、さらにコントラストが強調され、一方、コントラスト比が小さいエッジに対しては、コントラストはほとんど強調されない。
【００２６】
つまり、ＯＳＤ画像に対して前述したエッジ強調効果をあまり効かせないために、ＲＯＭ９は、文字列と背景とのコントラスト比が小さいパラメータデータを記憶する。また、ＯＳＤ画像はメイン処理部８から出力される不特定の輝度の映像信号の上に重ねて配置されて表示され、なおかつ、その出力された映像信号の輝度はコンテンツによって異なるので、どのような輝度の映像信号上にＯＳＤ画像が配置されても、映像信号とのコントラスト比が小さくなるように、ＲＯＭ９は、特にＯＳＤ画像の背景の色情報として中間輝度や中間色差を使用したパラメータデータを記憶する。
【００２７】
具体的には、背景が黒で文字列が白のＯＳＤ画像を生成する場合は、背景の黒と文字列の白のコントラスト比が９５％以下となるように、白の輝度を下げたパラメータデータや、黒の輝度を上げたパラメータデータをＲＯＭ９は記憶する。また、背景や文字列に他の色が使用される場合でも、コントラスト比が９５％以下となるパラメータデータをＲＯＭ９は記憶する。以上説明した具体例を、さらに図２を用いて説明する。
【００２８】
図２は、本実施形態によるＯＳＤ画像に対する高解像度化処理による影響の一実施形態を示す図である。
なお、ここでは、輝度を決定するパラメータとして色の階調を用いて説明する。
図２（ａ）は、背景に階調０％の黒を使用し、文字列に階調１００％の白を使用したＯＳＤ画像に対してエッジ強調効果を持つ高解像度化処理を施したときの様子を示したものである。そして、コントラスト比が１００％の画像に対して高解像度化処理を施すと、背景と文字列の境界部であるエッジが強調されすぎて、かえってノイズが目立つ画像となり、見づらくなってしまう。
【００２９】
図２（ｂ）は、背景に階調２．５％の黒を使用し、文字列に階調９７．５％の白を使用したＯＳＤ画像に対してエッジ強調効果を持つ高解像度化処理を施したときの様子を示したものである。そして、コントラスト比が９５％の画像に対して高解像度化処理を施すと、背景と文字列のエッジが強調されず、ＯＳＤ画像に対しては高解像度化処理の効果があまり効かない状態となる。
【００３０】
さらに具体的には、メイン処理部８や高画質化処理部２１などに備えられた、デジタル値によって色の階調を決定するブロックのＲＧＢそれぞれの設定分解能が８ｂｉｔ（２５６分解能）であった場合、階調０％の黒は（Ｒ、Ｇ、Ｂ）＝（０、０、０）であり、階調１００％の白は（Ｒ、Ｇ、Ｂ）＝（２５５、２５５、２５５）である。すなわち黒または白を表現するためのＲＧＢそれぞれの設定値は、黒は最小レベルであり白は最大レベルである。一方、階調２．５％の黒は（Ｒ、Ｇ、Ｂ）＝（７、７、７）であり、階調９７．５％の白は（Ｒ、Ｇ、Ｂ）＝（２４９、２４９、２４９）である。例えば、黒を表現する設定値さらに上げていくと、設定値が大きくなるに従って黒は灰色に変化していき、同様に、白を表現する設定値さらに下げていくと、設定値が小さくなるに従って、白は灰色に変化していく。つまり（Ｒ、Ｇ、Ｂ）＝（１２７、１２７、１２７）では完全に灰色として表現されることになる。
【００３１】
つまり、コントラスト比を下げれば双方の階調の差が減り、高解像度化処理の効果は減らすことはできるが、黒を黒として、または白を白として認識できなくなってしまうので、高解像度化処理の効果を減らすためのコントラスト比の下限は、約９０％で制約されることになる。そして、そのような問題も考慮された設定値が、上述した、コントラスト比９５％となる。
【００３２】
すなわち、ＯＳＤ画像に対して高解像度化処理の効果を抑えるためには、その画像で使用される色のコントラスト比がある程度小さいパラメータデータを使用すればよい。
【００３３】
以上説明したように本第１の実施形態によれば、ＲＯＭ９が、高解像度化処理を施す画像に含まれるＯＳＤ画像の背景と文字列のコントラスト比が所定値以下となるパラメータデータを記憶するので、ＯＳＤ画像が含まれる画像に対して高解像度化処理を施しても、過度なエッジ強調による画質悪化のない画像を得ることができる。
【００３４】
（第２の実施形態）
本第２の実施形態は、第１の実施形態の画像処理装置の構成と基本的には同じものであるが、ＯＳＤ画像の背景や文字列の色情報のパラメータデータの決定方法が異なり、図３を用いて以下に説明する。
【００３５】
図３は、本実施形態によるＯＳＤ画像の出力判定処理を伴う高解像度化処理のフローチャートである。
まず、高解像度化制御部８ｂは、コンテンツの映像信号とともにＯＳＤ画像を出力するかを判定する（Ｓ３０１）。そしてＯＳＤ画像を伴わない場合（Ｓ３０１のＮ）は、高解像度化処理部２１を制御して高解像度化処理を行わせる（Ｓ３０５）。一方、ＯＳＤ画像を伴う場合（Ｓ３０１のＹ）は、高解像度化制御部８ｂは、メイン処理部８から出力されるコンテンツの映像信号で使用されている輝度や色差などの色情報を分析する（Ｓ３０２）。
【００３６】
そして、ＲＯＭ９には、特定のＯＳＤ画像の背景と文字列の色情報の異なる複数のパターンが記憶されているので、ＯＳＤ生成部８ａは、分析された映像信号の色情報を高解像度化制御部８ｂから取得して、取得した色情報に対するコントラスト比が小さいパラメータデータをＲＯＭ９から選択する（Ｓ３０３）。なお、ＲＯＭ９が記憶するパラメータデータは、ＯＳＤ画像の背景と文字列に使用する色差は一組で、その輝度を変えることで映像信号とのコントラスト比を小さくする形態であってもよい。
【００３７】
さらに、ＯＳＤ生成部８ａは、選択された色情報を使用したＯＳＤ画像を生成して出力し（Ｓ３０４）、高解像度化制御部８ｂが、高解像度化処理部２１を制御して高解像度化処理を行わせる（Ｓ３０５）。
【００３８】
以上説明した具体例を、さらに図４を用いて説明する。
図４は、本実施形態によるＯＳＤ画像とコンテンツ映像それぞれに対する高解像度化処理の影響の一実施形態を示す図である。
なお、ここでは、輝度を決定するパラメータとして色の階調を用いて説明する。
図４（ａ）は、ＯＳＤ画像の背景に階調２．５％の黒を使用し、文字列に階調９７．５％の白を使用したＯＳＤ画像と、階調１００％の白を基調としたコンテンツ映像とが、同一画面で表示される映像に対してエッジ強調効果を持つ高解像度化処理を施したときの様子を示したものである。
【００３９】
そして、コンテンツ映像とＯＳＤ画像の背景とのコントラスト比は１００％となるので、この映像に対して高解像度化処理を施すと、コンテンツ映像とＯＳＤ画像の背景との境界部であるエッジが強調されすぎて、かえってノイズが目立つ画像となり、見づらくなってしまっている。
【００４０】
図４（ｂ）は、ＯＳＤ画像の背景に階調５％の黒を使用し、文字列に階調９７．５％の白を使用したＯＳＤ画像と、階調１００％の白を基調としたコンテンツ映像とが、同一画面で表示される映像に対してエッジ強調効果を持つ高解像度化処理を施したときの様子を示したものである。すなわち、ＲＯＭ９には、ＯＳＤ画像のパラメータデータとして、背景に階調２．５％の黒と文字列に階調９７．５％の白とからなるパラメータパターンａと、背景に階調５％の黒と文字列に階調９７．５％の白とからなるパラメータパターンｂと、が記憶されていて、パターンｂが選択された具体例を示している。
【００４１】
そして、コンテンツ映像とＯＳＤ画像の背景とのコントラスト比は９５％となるので、この映像に対して高解像度化処理を施すと、背景と文字列のエッジはあまり強調されず、ＯＳＤ画像に対しては高解像度化処理の効果があまり効かない状態となる。
【００４２】
ところで、以上説明した処理は、メイン処理部８から出力される映像信号の全てのフレームに対して行ってもよいし、所定フレーム間隔で行ってもよい。
以上説明したように本第２の実施形態によれば、高解像度化処理を行う前に、メイン処理部８から出力されるコンテンツの映像信号で使用されている輝度や色差などの色情報を分析して、分析された映像の色情報とのコントラスト比が小さい色情報を使用したＯＳＤ画像を生成するので、コンテンツ映像とともにＯＳＤ画像に対して高解像度化処理を行っても、ＯＳＤ画像周辺部分での過度なエッジ強調による画質悪化のない高解像度化処理を施すことができる。
【００４３】
なお、上述した実施形態では、ＯＳＤ画像の背景と文字列のコントラスト比を小さくするパラメータデータについて説明を行ったが、背景と文字列の輝度のみを小さくするパラメータデータ、または色差のみを小さくするパラメータデータであってもよい。さらには、同様の目的のために、複雑な形状の背景の外形の形状の調整、文字列の線幅の変更、背景と文字列の間や背景の外形輪郭などへの中間輝度や中間色差のグラフィックの追加、背景色や文字列色の半透明化などの処理を行う形態であってもよい。
【００４４】
また、上述した実施形態では、高解像度化処理が常に施されていることが前提で説明を行ったが、高解像度化処理を実施するか否かが選択される形態としてもよい。なお、その選択はユーザに行わせる形態であっても、入力された信号の解像度は判別する手段を用いて装置が自動的に制御する形態であってもよい。
【００４５】
そして、そのような実施形態では、高解像度化処理が施されている状態でのみ、上述した第１、第２の実施形態の動作を行い、高解像度化処理が施されない状態では、コントラスト比を考慮せずに任意の色情報を使用してＯＳＤ画像を生成する。すなわち、高解像度化処理が行われるときに、ＯＳＤ画像で使用する色情報のパラメータデータを最適化する形態であってもよい。
【００４６】
さらに、高解像度化処理は、画素を復元することで映像信号を鮮鋭化し、またその効果の一つとして映像のエッジ部分を強調する実施形態としてこれまで説明をしたが、それ以外のアルゴリズムによってエッジ強調する形態であってもよい。また、エッジ強調の効果だけでなく、色合いの最適化の効果であってもよい。さらには、高解像度処理部の効果に対してではなく、動画改善処理による効果によって、動画改善処理がされたコンテンツ映像信号に対するＯＳＤ画像の干渉を減少させるパラメータを設定してもよい。
【００４７】
また、本発明の画像処理装置としてデジタルテレビ１に適用した実施形態を説明したが、ディスプレイ２４、表示処理部２３、音声処理部２５およびスピーカ２６を備えない、例えば、チューナやセットトップボックスや、ディスプレイ２４、の実施形態や、ディスプレイ２４、スピーカ２６を備えず図示しない記録媒体を備えた、例えば、ＨＤＤレコーダの実施形態にも本発明の画像処理装置を適用することができる。
【００４８】
また本発明は、上述した実施形態に限定されるものではなく、本発明の要旨を変えない範囲において、種々の変更、改変等が可能である。
【図面の簡単な説明】
【００４９】
【図１】本実施形態に係る画像処理装置の構成を示すブロック図。
【図２】本実施形態によるＯＳＤ画像に対する高解像度化処理による影響の一実施形態を示す図。
【図３】本実施形態によるＯＳＤ画像の出力判定処理を伴う高解像度化処理のフローチャート。
【図４】本実施形態によるＯＳＤ画像とコンテンツ映像それぞれに対する高解像度化処理の影響の一実施形態を示す図。
【符号の説明】
【００５０】
１…デジタルテレビ、２…デジタルチューナ、３…デジタル信号復調部、４…アナログチューナ、５…外部入力信号処理部、６…ＩＰＴＶ信号処理部、７…インターネット信号処理部、８…メイン処理部、８ａ…ＯＳＤ生成部、８ｂ…高解像度化制御部、９…ＲＯＭ、２１…高解像度化処理部、２２…動画改善処理部、２３…表示処理部、２４…ディスプレイ、２５…音声処理部、２６…スピーカ。
【図１】
2010130643.tif 000003
【図２】
2010130643.tif 000004
【図３】
2010130643.tif 000005
【図４】
2010130643.tif 000006